(57)【要約】【課題】設置面積の省スペース化を図ることができ、移動、運搬等、取扱が楽で、比較的小型の植物を簡易に栽培することができる、斬新な使用形態の栽培容器を提供する。【解決手段】用土収容部1aを有する鉢型の栽培容器１であって、底部1cに透孔２を有し、かつ、底部1cに、給水容器20の上部の筒状注出口21に固定可能な取付部Ａを備えた。取付部Ａは、雌ネジ部15a を形成した筒状内面15を有し、該雌ネジ部15a を筒状注出口21に形成された雄ネジ部21a に螺着して固定する。【選択図】図１
2006042813.tif 000002
【特許請求の範囲】
【請求項１】
用土収容部を有する鉢型の栽培容器であって、底部に透孔を有し、かつ、底部に、給水容器の上部の筒状注出口に固定可能な取付部を備えた、栽培容器。
【請求項２】
前記取付部は、雌ネジ部を形成した筒状内面を有し、該雌ネジ部を前記筒状注出口に形成された雄ネジ部に螺着して固定するようにした、請求項１に記載の栽培容器。
【請求項３】
前記取付部は、透孔を有し、かつ下方に向かって直径が小さくなる、弾性を有する栓であり、該栓を前記筒状注出口に嵌入して固定するようにした、請求項１に記載の栽培容器。
【請求項４】
前記底部の透孔を挿通する給水紐の上端部が取着されたシート部材が前記底部に載置されて前記透孔が覆われるように構成した、請求項１〜３のいずれかに記載の栽培容器。
【請求項５】
前記給水容器が透明性のボトル型容器である、請求項１〜４のいずれかに記載の栽培容器。
【請求項６】
前記透明性のボトル型容器がペットボトルである、請求項５に記載の栽培容器。
【請求項７】
請求項１〜６のいずれかに記載の栽培容器を、給水容器の上部の筒状注出口に固定して一体化し、かつ、容器内から給水紐を、底部の透孔を挿通させ、水を入れた給水容器内に垂らし、給水容器から給水紐を介して栽培容器内に直接に水分を供給し、栽培容器内の植物を栽培する、栽培方法。
【発明の詳細な説明】
【技術分野】
【０００１】
本発明は、比較的小型の植物の栽培に適した栽培容器及び栽培方法に関する。
【背景技術】
【０００２】
植物栽培において、使用済みのペットボトルを利用した栽培方法が種々提案されている。例えば、特許文献１には、一方端部が土中に刺し込まれるアンカー部材を備えた給水紐の他方端部を、水を充填したペットボトル内に垂れ下がるように貫通させて構成した給水装置が記載されている（請求項６）。この特許文献１に記載の発明は、一定量の水を安定して供給することができるという効果を奏するというものである。
【０００３】
【特許文献１】登録実用新案第３０３７６５６号公報
【発明の開示】
【発明が解決しようとする課題】
【０００４】
本発明は、設置面積の省スペース化を図ることができ、移動、運搬等、取扱が楽で、比較的小型の植物を簡易に栽培することができる、斬新な使用形態の栽培容器を提供すること、またそのような栽培容器を用いた斬新かつ簡便な栽培方法を提供することを目的とする。
【課題を解決するための手段】
【０００５】
（１）請求項１に係る発明は、用土収容部を有する鉢型の栽培容器であって、底部に透孔を有し、かつ、底部に、給水容器の上部の筒状注出口に固定可能な取付部を備えた、栽培容器である。
（２）請求項２に係る発明は、前記取付部は、雌ネジ部を形成した筒状内面を有し、該雌ネジ部を前記筒状注出口に形成された雄ネジ部に螺着して固定するようにした、請求項１に記載の栽培容器である。
（３）請求項３に係る発明は、前記取付部は、透孔を有し、かつ下方に向かって直径が小さくなる、弾性を有する栓であり、該栓を前記筒状注出口に嵌入して固定するようにした、請求項１に記載の栽培容器である。
（４）請求項４に係る発明は、前記底部の透孔を挿通する給水紐の上端部が取着されたシート部材が前記底部に載置されて前記透孔が覆われるように構成した請求項１〜３のいずれかに記載の栽培容器である。
（５）請求項５に係る発明は、前記給水容器が透明性のボトル型容器である、請求項１〜４のいずれかに記載の栽培容器である。
（６）請求項６に係る発明は、前記透明性のボトル型容器がペットボトルである、請求項５に記載の栽培容器である。
（７）請求項７に係る発明は、請求項１〜６のいずれかに記載の栽培容器を、給水容器の上部の筒状注出口に固定して一体化し、かつ、容器内から給水紐を、底部の透孔を挿通させ、水を入れた給水容器内に垂らし、給水容器から給水紐を介して栽培容器内に直接に水分を供給し、栽培容器内の植物を栽培する、栽培方法。
【発明の効果】
【０００６】
（１）請求項１に係る発明は、用土収容部には用土が入れられ、容器内から給水紐を、底部の透孔を挿通させ、水を入れた給水容器内に垂らし、給水容器の上部の筒状注出口に上方から取付部を固定することにより、栽培容器を給水容器に固定して使用される。栽培容器は、給水容器の上部に固定され一体化されるので、設置面積が小さく済む。移動、運搬等は、栽培容器と一体化した給水容器を持って行えばよいので取扱が楽であり、室内栽培に好適である。常時、給水容器から水分が供給されるので、水やりする手間が省け、簡単に植物を栽培することができる。種々の形態の給水容器の筒状注出口上に栽培容器が位置する（載せられる）態様で固定されるため、シンプルな構成でありながら、使用形態も斬新、ユニークであり、植物栽培に関する興味をそそる。学習教育への導入も円滑に行われ、理科教育及び環境教育の教材として使用するのにも好適である。植物栽培に疎い人でも手軽に親しむことができる。
また、栽培容器は様々なデザインを施すことができ、給水容器の上部に固定することにより、装飾的効果が発揮されて独特のユニークな形態を呈するため、見栄えがよく、底部には透孔を有するので、栽培容器を給水容器に固定した状態で、切り花を挿す花器として使用することもできる。
栽培容器は、草花の栽培や育苗にも最適である。栽培容器の原材料を生分解プラスチックとした場合は、育苗して十分に生育したら、そのまま花壇や通常の鉢に定植することもでき便利である。栽培容器に種や肥料等を組み合せた栽培キットとして構成してもよい。本などの出版物その他の商品の付録にするのにも好適である。
（２）請求項２に係る発明は、取付部は、雌ネジ部を形成した筒状内面を有し、該雌ネジ部を前記筒状注出口に形成された雄ネジ部に螺着して固定するようにしたので、栽培容器を簡単、確実に固定して使用することができる。
（３）請求項３に係る発明は、取付部は、透孔を有し、かつ下方に向かって直径が小さくなる、弾性を有する栓であり、該栓を前記筒状注出口に嵌入して固定するようにしたので、栽培容器を種々の口径の注出口に嵌着して使用することができる。
（４）請求項４に係る発明は、前記底部の透孔を挿通する給水紐の上端部が取着されたシート部材が前記底部に載置されて前記透孔が覆われるように構成したので、用土収容部内の用土が透孔から落下することを防止することができる。
（５）請求項５に係る発明は、給水容器が透明性のボトル型容器であるため、水の減り具合を目視でき、また、既存の各種ボトル型容器を利用し得る。
（６）請求項６に係る発明は、前記透明性のボトル型容器がペットボトルであるため、使用済みのペットボトルを再利用でき、省資源、リサイクルの見地からも有益である。また、前記のとおり、栽培容器は様々なデザインを施すことができ、給水容器の上部に固定することにより、装飾的効果が発揮されて独特のユニークな形態を呈するため、ペットボトルに取り付けることで単調なペットボトルの形状に装飾的なアクセントが付加された外観となり、大変斬新で見栄えがよい。ペットボトル飲料のおまけとして附属（好ましくは栽培容器に種、用土等を組み合わせた栽培セット一式とする。）させれば、飲用後にすぐに植物栽培に着手することができるとともに、ペットボトルの再利用を促進することができ、好適である。
（７）請求項７に係る発明は、請求項１〜６のいずれかに記載の栽培容器を、給水容器の上部の筒状注出口に固定して一体化し、かつ、容器内から給水紐を、底部の透孔を挿通させ、水を入れた給水容器内に垂らし、給水容器から給水紐を介して栽培容器内に直接に水分を供給し、栽培容器内の植物を栽培するので、斬新かつ簡便な栽培方法が実現される。
【発明を実施するための最良の形態】
【０００７】
本発明の好ましい実施の形態について実施例を挙げ、図面を参照して説明する。なお、各図において同じ要素には同じ符号を用い、適宜その説明を省略する場合がある。
【実施例１】
【０００８】
図１は実施例１に係る栽培容器１と給水容器２０の組合せ例を示す側面（片側断面）図であり、（ａ）は栽培容器１を給水容器２０と離脱した状態、（ｂ）は栽培容器１を給水容器２０に固定した状態を示す。
給水容器２０は、本発明に係る栽培容器１が使用される際、組み合せる相手方となる容器である。好ましくは透明性のボトル型容器、さらに好ましくはペットボトル（ＰＥＴボトル）が使用される。
栽培容器１は、用土収容部１ａを有する鉢型のものである。上面が開放し、側壁１ｂと該側壁１ｂに連設された底部１ｃとを有している。側壁１ｂと底部１ｃとで形成される空間が用土収容部１ａとなる。栽培容器１の材質は特に限定されないが、合成樹脂材が軽量で安価に製造し得る点で、好ましい。栽培容器１の大きさは、栽培する植物種や給水容器２０の大きさ等を考慮して設定される。栽培容器１のデザインは任意である。例えばその平面形は、円形のほか多角形その他の適宜形状を適用し得る。側面形状も特に限定されない。底部１ｃの中央には透孔２が設けられている。透孔２には、後述する給水紐３０が挿通される。透孔２の形状は任意であり、大きさは通常５〜２０ｍｍ程度であるが特に限定されない。
【０００９】
栽培容器１の底部１ｃの中央には、給水容器２０の上部の筒状注出口２１に固定可能な取付部Ａを備えている。前記透孔２は、取付部Ａの内側、ほぼ中央に位置する態様となっている。
図１に示す栽培容器１では、取付部Ａは、栽培容器１の底部１ｃの下面に底部１ｃと一体成形にて形成された環状突設部１１の内側の筒状内面１５に、筒状注出口２１に形成された雄ネジ部２１ａに螺合する雌ネジ部１５ａを形成してなり、該雌ネジ部１５ａを前記雄ネジ部２１ａに螺着して固定するようにしている。脱着も可能で簡単である。栽培容器１は、一般の植木鉢と同様に、トレー上に載せて使用することも可能である。
【００１０】
取付部Ａの変形例を図２、図３に示す。
図２に示す取付部Ａは、栽培容器１の本体とは別体（別部材）をなす取付部Ａで構成されており、この取付部Ａを栽培容器１の底部１ｃに装着したものである。
図２（ａ）に示すものは、円筒体１３の筒状内面１５に雌ネジ部１５ａを形成してなる取付部Ａを、底部１ｃの下面に底部１ｃと一体成形にて形成された環状突設部１１の内側に位置させて固着したものである。円筒体１３の外面を環状突設部１１の内面に接着してもよいし、円筒体１３を環状突設部１１に係止させて固定するようにしてもよい。
図２（ｂ）〜（ｄ）に示すものは、上壁部１３ａを有する円筒体（キャップ形状体）１３の筒状内面１５に雌ネジ部１５ａを形成してなる取付部Ａの構成例である。上壁部１３ａには、後述する給水紐３０が挿通される透孔１３ｂが形成されている。この円筒体１３として、ペットボトルに一般に使用されるキャップを利用し、これの上壁部１３ａに透孔１３ｂを穿って使用することが可能である。
図２（ｂ）は、上壁部１３ａを有する円筒体１３で構成した取付部Ａを、栽培容器１の底部１ｃの下面に接着して固定したものである。
図２（ｃ）は、上壁部１３ａを有する円筒体１３で構成した取付部Ａを、栽培容器１の底部１ｃの下面に底部１ｃと一体成形にて形成された環状突設部１１の内側に位置させて固着したものである。円筒体１３の外面を環状突設部１１の内面に接着してもよいし、円筒体１３を環状突設部１１に係止させて固定するようにしてもよい。
図２（ｄ）は、上壁部１３ａを有する円筒体１３で構成した取付部Ａを、栽培容器１の底部１ｃの下面に底部１ｃと一体成形にて形成された環状突設部１１の内側に位置させ、環状突設部１１よりも下方にはみ出した円筒体１３の外面と環状突設部１１の外面とに粘着テープ５０を貼り付けて固定したものである。
栽培容器１は、取付部Ａを栽培容器１から取り外せば、一般の植木鉢と同様に、トレー上に載せて使用することも可能である。
栽培容器１の本体とは別体をなす取付部Ａの栽培容器１の底部１ｃへの装着手段は上記図２に示した例に限定されないのは勿論である。
【００１１】
図３に示す栽培容器１は底部１ｃに突出した筒部３が形成されており、該筒部３に透孔２が形成されている。この筒部３の外面には、雄ネジ部３ａが形成されている。この雄ネジ部３ａに装着されている取付部Ａは次の構成を備えている。すなわち、取付部Ａは、前記上壁部１３ａを有する円筒体１３の二つを互いに上壁部１３ａ同士が接合するように連結されており、一方の円筒体１３の筒状内面１５に形成された雌ネジ部１５ａは、栽培容器１の上記筒部３の外面に形成された雄ネジ部３ａに螺合するとともに、他方の円筒体１３の筒状内面１５に形成された雌ネジ部１５ａは、給水容器２０の筒状注出口２１に形成された雄ネジ部２１ａに螺合することによって、栽培容器１が給水容器２０に固定されるようになっている。この円筒体１３として、ペットボトルに一般に使用されるキャップを利用し、これの上壁部１３ａに透孔１３ｂを穿って使用することが可能である。また、栽培容器１としては、ペットボトルを胴部で切断し、上下逆にしたものを使用することも可能である。
図３（ａ）は、円筒体１３の二つを互いに上壁部１３ａ同士で接着して連結した例を示し、図３（ｂ）は、円筒体１３の二つを互いに上壁部１３ａ同士でつき合せ、円筒体１３，１３の外面に粘着テープ５０を貼り付けて連結固定した例を示している。
【００１２】
図１、図４を参照して本発明に係る栽培容器１の使用方法を例示、説明する。図４は植物栽培状態を示す斜視図である。
先ず、栽培容器１内から給水紐３０を、その上部が栽培容器内で係止されるようにして、底部１ｃの中央の透孔２を挿通させる。給水紐３０は、その上端部をシート部材に適宜方法で取着して、該シート部材が透孔２の外側に係止されることによって容器１の底部１ｃに保持されるようにしてもよい。給水紐３０は、給水容器２０内の水を吸い上げて栽培容器１内に給水できるものであればよい。例えば、各種繊維質素材、フェルト、スポンジ等が用いられ、その素材や構造、断面形状等は何ら限定されない。栽培容器１の用土収容部１ａに用土４０が入れられる。用土４０の種類、材料、形態等は、植物の生育に適したものであればよく、植物種に応じて適宜選択され、何ら限定されない。一方、給水紐３０は、給水容器２０内に垂らされるとともに、給水容器２０内には水（及び液体肥料等）が充填される。栽培容器１を、その取付部Ａにおいて、給水容器２０の上部の筒状注出口２１に上方から固定して一体化する。用土４０上に種まきして、植物の栽培を始める。給水容器２０から水分が供給されるので、水やりする手間が省け、簡単に植物を栽培することができる。
【００１３】
本発明に係る栽培容器１を使用して栽培する植物種の種類は何ら限定されないのは勿論であるが、比較的小型で、生育が速く播種後短期間に開花に至るものが望ましい。例えば、種子の発芽から植物体の成長、開花と結実に至る生活環が５５日以内の短期間であるアブラナ科植物が挙げられる。中でも、ブラシカ  ラパ（Ｂｒａｓｓｉｃａ  ｒａｐａ）の変種であって、ウィスコンシンファーストプランツ（ＷＦＰ，商品名）として開発された、表現される形質が異なる数多くの系統の植物群の中から選ばれ、ファストプランツ（商品名）と名づけられた植物が好適である。
上記のような植物の栽培においては、一個の栽培容器１の大きさが、径及び高さが２〜５ｃｍ程度で済むので、給水容器２０としてＰＥＴボトルを使用し、その上部に栽培容器１を固定しても、自立安定性は十分に得られ、コンパクトで卓上設置可能であり、省スペース化を実現するものである。ボトル型容器は種々のデザインのものがあるので、卓上インテリアとしてもよいし、また生物教育の学習教材として使用するのにきわめて有益である。
【実施例２】
【００１４】
図５は実施例２に係る栽培容器１の側面（片側断面）図である。
実施例１のものと異なり、この栽培容器１では、取付部Ａは、中心部に、軸心方向に透孔１８ａが形成され、かつ下方に向かって直径が小さくなる、弾性を有する栓１８で構成されている。栓１８は、ゴムなどの弾性材で構成されており、該栓１８を給水容器２０の筒状注出口２１に嵌入して固定するようにしたものである。直径は連続的に小さくなるもののほか、段階的に小さくなるように形成してもよい。栽培容器１を種々の口径の注出口２１に嵌入させる態様で嵌着して固定し、使用することができる。
図５（ａ）は、栓１８の上面を栽培容器の底部１ｃに接着して固定した例を示す。
図５（ｂ）は、栓１８を、栽培容器１の底部１ｃの下面に底部１ｃと一体成形にて形成された環状突設部１１の内側に位置させ、環状突設部１１よりも下方にはみ出した栓１８の外面と環状突設部１１の外面とに粘着テープ５０を貼り付けて固定したものである。
栓１８の栽培容器１の底部１ｃへの装着手段は上記図２に示した例に限定されないのは勿論である。
【実施例３】
【００１５】
図６は実施例３に係る栽培容器１の側面（片側断面）図である。この実施例３は実施例１の変形例に相当するものであり、請求項４に相当する構成を備えている。
すなわち、給水紐３０は、底部１ｃの透孔２を挿通するとともにその上端部は、シート部材３１に適宜方法で取着されており、このシート部材３１が底部１ｃに載置されて透孔２が覆われるように構成されている。これにより、用土収容部１ａ内の用土が透孔２から落下することを防止することができる。
シート部材３１は、例えば、吸水性（吸湿性）を有するもの（不織布その他の各種繊維質素材やフェルト、スポンジ等）、あるいは吸水性を有しない網状体、板状体等により構成し得る。好ましくは、吸水性（吸湿性）を有するものとすることにより、給水紐３０を介した給水を給水紐３０のみでなく、底部のより広い面積において行うことができ、給水能力を向上させることができる。
また、図示のとおり、底部１ｃの透孔２の周囲に平坦部を設け、この平坦部の形状に適合する大きさにシート部材３１を形成することにより、給水紐３０の取着されたシート部材３１を栽培容器の底部１ｃの適正位置にぐらつくことなく安定した状態で簡単に設置することができる。
そして、好ましくは、この平坦部は、底部１ｃから上方へ向けて略垂直に起立した仕切部１ｄによって仕切られ、この仕切部１ｄの内面と底部１ｃの上面（平坦部）とで仕切られた収容空間に、この収容空間に適合する外径に形成されたシート部材３１が納まるように構成する。これにより、シート部材３１を栽培容器の底部１ｃの適正位置にぐらつくことなく、より安定した状態で確実に設置することができる。
図６（ａ）に示す例においては、透孔２の周囲に底部１ｃ全体が平坦部として形成されており、底部１ｃから上方へ向けて略垂直に起立した仕切部１ｄが形成されている。仕切部１ｄは、側壁１ｂの下端位置に側壁１ｂと連続して形成され、筒状をなしている。この仕切部１ｄの内面と底部１ｃの上面（平坦部）とで仕切られて収容空間１ｅが形成されている。収容空間１ｅに適合する外径に形成されたシート部材３１が、この収容空間１ｅ内に、底部１ｃの上面（平坦部）に載置されて納まるようになっている。
図６（ｂ）に示す例においては、透孔２の周囲に平坦部が設けられて底部１ｃが形成されるとともに、底部１ｃから上方へ向けて略垂直に起立した仕切部１ｄは、側壁１ｂとは独立して設けられている。この場合、仕切部１ｄは、周方向に連続した筒状とせずに、周方向に切欠部を備えた断続した突出部として形成してもよい。
【００１６】
以上、実施例を挙げて本発明の実施の形態を説明したが、本発明は上記した実施例に限定されるものではなく、本発明の要旨の範囲で適宜、付加、変形等なし得るものである。例えば、容器本体又は取付部の下方に給水容器の外面を覆うようなハカマ部材を設けたり、給水容器に取り付けた際、接地可能な複数本の補助脚部を設けてもよい。容器の本体と取付部との間に角度調整手段（例えば、任意の位置で屈曲状態を保持可能なフレキシブルパイプや機械的角度調整機構）を介在させて設ければ、給水容器の横置き使用が可能である。
【図面の簡単な説明】
【００１７】
【図１】実施例１に係る栽培容器１を給水容器２０に組み合わせた例を示す側面（片側断面）図である。
【図２】取付部Ａの変形例を示す側面（片側断面）図である。
【図３】取付部Ａの変形例を示す側面（片側断面）図である。
【図４】栽培容器１の使用状態を例示する斜視図である。
【図５】実施例２に係る栽培容器の側面（片側断面）図である。
【図６】実施例３に係る栽培容器の側面（片側断面）図である。
【符号の説明】
【００１８】
１  栽培容器
１ａ  用土収容部
１ｃ  底部
１ｄ  仕切部
２  透孔
３  筒部
１１  環状突設部
１３  円筒体
１３ｂ  透孔
１５  筒状内面
１５ａ  雌ネジ部
２０  給水容器
２１  筒状注出口
２１ａ  雄ネジ部
３０  給水紐
４０  用土
５０  粘着テープ
Ａ  取付部
【図１】
2006042813.tif 000003
【図２】
2006042813.tif 000004
【図３】
2006042813.tif 000005
【図４】
2006042813.tif 000006
【図５】
2006042813.tif 000007
【図６】
2006042813.tif 000008